(57)【要約】【課題】顧客の体型に適した型紙を作成することができる型紙作成方法、型紙作成プログラムおよび型紙作成装置を提供すること。【解決手段】本発明にかかる型紙作成方法は、三次元構造をなす製品を作製するための基準型紙データであって、製品を装用する対象の基準形状を表現したフレームを含む基準ボディと対応付けられ、基準ボディに対応する製品を構成する複数の型紙を含む基準型紙データをもとに、複数の型紙からなる型紙データを作成する型紙作成装置が行う型紙作成方法であって、基準ボディと同一のメッシュ構造を有するフレームを含む対象ボディにおいて、対象寸法リストを生成する対象寸法リスト生成ステップと、基準寸法リストにおける寸法と、対象寸法リストにおける寸法と、基準型紙データとをもとに、対象ボディに対応する型紙を含む対象型紙データを作成する対象型紙作成ステップと、を含む。【選択図】図１
2017166114.tif 000002
【特許請求の範囲】
【請求項１】
三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成装置が行う型紙作成方法であって、
前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成する対象寸法リスト生成ステップと、
前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成ステップと、
を含むことを特徴とする型紙作成方法。
【請求項２】
前記対象寸法リスト生成ステップは、
前記対象の基準形状に応じた基準対象ボディの情報を取得する取得ステップと、
前記取得ステップにおいて取得された前記基準対象ボディの情報をもとに前記対象ボディを生成する対象ボディ生成ステップと、
前記対象ボディ生成ステップにおいて生成された前記対象ボディの寸法を計測する計測ステップと、
をさらに含むことを特徴とする請求項１に記載の型紙作成方法。
【請求項３】
前記対象ボディ生成ステップは、前記対象の三次元情報に基づき基準対象ボディを変形させることによって前記対象ボディを生成する
ことを特徴とする請求項２に記載の型紙作成方法。
【請求項４】
前記対象型紙作成ステップにおいて生成された前記対象型紙データと、前記対象ボディの三次元像とをもとに、前記対象型紙データに基づく仮想製品を前記対象ボディの三次元像に着装させ、表示部に表示させる着装シミュレーションステップ、
をさらに含むことを特徴とする請求項１〜３のいずれか一つに記載の型紙作成方法。
【請求項５】
前記基準ボディに対し、該基準ボディの寸法を計測する計測箇所を登録する計測箇所登録ステップ、
をさらに含むことを特徴とする請求項１に記載の型紙作成方法。
【請求項６】
前記計測箇所登録ステップにおいて登録された計測箇所をリスト化した計測箇所リストを生成するとともに、該計測箇所リストの計測箇所と前記基準ボディにおける寸法とを対応付けてリスト化した前記基準寸法リストを生成する基準寸法リスト生成ステップ、
をさらに含むことを特徴とする請求項５に記載の型紙作成方法。
【請求項７】
前記対象型紙作成ステップは、前記基準寸法リストにおける寸法と、前記対象寸法リストにおける寸法との差分を算出し、該差分を用いて前記基準型紙データを構成する型紙のサイズを変更する
ことを特徴とする請求項１〜５のいずれか一つに記載の型紙作成方法。
【請求項８】
前記型紙作成装置は、互いに異なる複数の前記基準ボディを記憶し、
対象型紙作成ステップは、
前記計測箇所に応じた各基準ボディの寸法と、前記対象ボディの寸法とを用いて複数の前記基準ボディから一つの基準ボディを選択する基準ボディ選択ステップをさらに含み、
前記基準ボディ選択ステップで選択された前記基準ボディに対応する基準寸法リストにおける寸法、および基準型紙データと、前記対象寸法リストにおける寸法と、をもとに、前記対象ボディに対応する型紙を含む対象型紙データを生成する
ことを特徴とする請求項１に記載の型紙作成方法。
【請求項９】
三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成プログラムであって、
前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成する対象寸法リスト生成手順と、
前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成手順と、
をコンピュータに実行させることを特徴とする型紙作成プログラム。
【請求項１０】
三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成装置であって、
前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成するリスト生成部と、
前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成部と、
を備えたことを特徴とする型紙作成装置。
【発明の詳細な説明】
【技術分野】
【０００１】
本発明は、衣料等の作製に用いられる型紙の型紙作成方法、型紙作成プログラムおよび型紙作成装置に関する。
【背景技術】
【０００２】
近年の三次元ＣＡＤ（Computer  Aided  Design）システムの発展、普及に伴い、二次元の図面をもとに対応する三次元形状を推定することが可能になっている。衣料などの部品形状である型紙を作成して三次元形状を作製する技術として、上述したＣＡＤシステムにより型紙の情報をもとに該型紙の三次元形状を推定することによって仕上がりのイメージを画像表示する技術が知られている。
【０００３】
衣料を作製するうえで、衣料を顧客の体型に合わせることが重要である。顧客の体型に適した衣料を作製する技術として、顧客のシルエットを示す二次元ボディデータから計測点を抽出し、この計測点をもとに基準ボディデータを変形させて顧客の三次元ボディデータを生成する技術が開示されている（例えば、特許文献１を参照）。特許文献１によれば、顧客の二次元ボディデータから、顧客の体型を表現する三次元ボディデータが生成され、この三次元ボディデータに基づいて衣料（型紙）を作製することができる。
【先行技術文献】
【特許文献】
【０００４】
【特許文献１】特開２００６−５９１４３号公報
【発明の概要】
【発明が解決しようとする課題】
【０００５】
しかしながら、上述した特許文献１は、顧客のシルエットから計測される二次元ボディデータから三次元ボディデータを生成するため、例えば、いかり肩、なで肩、猫背など、顧客の細かな体型を反映することができない場合があった。これにより、顧客の体型と三次元ボディデータとの間に差が生じてしまい、顧客の体型に適した衣料（型紙）を生成できないという問題があった。
【０００６】
本発明は、上記課題に鑑みてなされたものであり、顧客の体型に適した型紙を作成することができる型紙作成方法、型紙作成プログラムおよび型紙作成装置を提供することを目的とする。
【課題を解決するための手段】
【０００７】
上述した課題を解決し、目的を達成するために、本発明にかかる型紙作成方法は、三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成装置が行う型紙作成方法であって、前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成する対象寸法リスト生成ステップと、前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成ステップと、を含むことを特徴とする。
【０００８】
また、本発明にかかる型紙作成方法は、上記の発明において、前記対象寸法リスト生成ステップは、前記対象の基準形状に応じた基準対象ボディの情報を取得する取得ステップと、前記取得ステップにおいて取得された前記基準対象ボディの情報をもとに前記対象ボディを生成する対象ボディ生成ステップと、前記対象ボディ生成ステップにおいて生成された前記対象ボディの寸法を計測する計測ステップと、をさらに含むことを特徴とする。
【０００９】
また、本発明にかかる型紙作成方法は、上記の発明において、前記対象ボディ生成ステップは、前記対象の三次元情報に基づき基準対象ボディを変形させることによって前記対象ボディを生成することを特徴とする。
【００１０】
また、本発明にかかる型紙作成方法は、上記の発明において、前記対象型紙作成ステップにおいて生成された前記対象型紙データと、前記対象ボディの三次元像とをもとに、前記対象型紙データに基づく仮想製品を前記対象ボディの三次元像に着装させ、表示部に表示させる着装シミュレーションステップ、をさらに含むことを特徴とする。
【００１１】
また、本発明にかかる型紙作成方法は、上記の発明において、前記基準ボディに対し、該基準ボディの寸法を計測する計測箇所を登録する計測箇所登録ステップ、をさらに含むことを特徴とする。
【００１２】
また、本発明にかかる型紙作成方法は、上記の発明において、前記計測箇所登録ステップにおいて登録された計測箇所をリスト化した計測箇所リストを生成するとともに、該計測箇所リストの計測箇所と前記基準ボディにおける寸法とを対応付けてリスト化した前記基準寸法リストを生成する基準寸法リスト生成ステップ、をさらに含むことを特徴とする。
【００１３】
また、本発明にかかる型紙作成方法は、上記の発明において、前記対象型紙作成ステップは、前記基準寸法リストにおける寸法と、前記対象寸法リストにおける寸法との差分を算出し、該差分を用いて前記基準型紙データを構成する型紙のサイズを変更することを特徴とする。
【００１４】
また、本発明にかかる型紙作成方法は、上記の発明において、前記型紙作成装置は、互いに異なる複数の前記基準ボディを記憶し、対象型紙作成ステップは、前記計測箇所に応じた各基準ボディの寸法と、前記対象ボディの寸法とを用いて複数の前記基準ボディから一つの基準ボディを選択する基準ボディ選択ステップをさらに含み、前記基準ボディ選択ステップで選択された前記基準ボディに対応する基準寸法リストにおける寸法、および基準型紙データと、前記対象寸法リストにおける寸法と、をもとに、前記対象ボディに対応する型紙を含む対象型紙データを生成することを特徴とする。
【００１５】
また、本発明にかかる型紙作成プログラムは、三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成プログラムであって、前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成する対象寸法リスト生成手順と、前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成手順と、をコンピュータに実行させることを特徴とする。
【００１６】
また、本発明にかかる型紙作成装置は、三次元構造をなす製品を作製するための基準型紙データであって、前記製品を装用する対象の基準形状を表現し、各々が変形可能な複数のメッシュからなるメッシュ構造を有するフレームを含む基準ボディと対応付けられ、基準ボディに対応する製品を構成する複数の型紙を含む基準型紙データをもとに、複数の型紙からなる型紙データを作成する型紙作成装置であって、前記製品を装用する対象の形状を表現した対象ボディであって、前記基準ボディと同一のメッシュ構造を有するフレームを含む対象ボディにおいて、少なくとも前記基準ボディに対して登録されている計測箇所の寸法をリスト化した基準寸法リストに登録されている前記計測箇所に応じた寸法を含む対象寸法リストを生成するリスト生成部と、前記基準寸法リストにおける寸法と、前記対象寸法リストにおける寸法と、前記基準型紙データとをもとに、前記基準型紙データを構成する型紙のサイズを変更することによって、前記対象ボディに対応する型紙を含む対象型紙データを作成する対象型紙作成部と、を備えたことを特徴とする。
【発明の効果】
【００１７】
本発明によれば、顧客の体型に適した型紙を作成することができるという効果を奏する。
【図面の簡単な説明】
【００１８】
【図１】図１は、本発明の一実施の形態にかかる型紙作成装置の概略構成を模式的に示すブロック図である。
【図２】図２は、本発明の一実施の形態にかかる型紙作成装置が行う型紙作成処理を示すフローチャートである。
【図３】図３は、本発明の一実施の形態にかかる型紙作成装置が行う型紙作成処理における基準データ生成処理を示すフローチャートである。
【図４】図４は、本発明の一実施の形態にかかる型紙作成装置が型紙作成処理に用いる基準ボディを模式的に示す図である。
【図５】図５は、本発明の一実施の形態にかかる型紙作成装置が行う型紙作成処理における基準型紙を模式的に示す図である。
【図６】図６は、本発明の一実施の形態にかかる型紙作成装置が行う型紙作成処理に用いる基準ボディをメッシュで表現した図である。
【図７】図７は、本発明の一実施の形態にかかる型紙作成装置が行う型紙作成処理における基準データ生成処理の計測箇所登録を説明する模式図である。
【図８】図８は、本発明の一実施の形態にかかる型紙作成装置が行う型紙作成処理における基準データ生成処理の計測箇所登録を説明する模式図である。
【図９】図９は、本発明の一実施の形態にかかる型紙作成装置が行う型紙作成処理における基準データ生成処理の計測箇所登録を説明する模式図である。
【図１０】図１０は、本発明の一実施の形態にかかる型紙作成装置が行う型紙作成処理における基準データ生成処理の計測箇所登録を説明する模式図である。
【図１１】図１１は、本発明の一実施の形態にかかる型紙作成装置が行う型紙作成処理における基準データ生成処理の計測箇所登録を説明する模式図である。
【図１２】図１２は、本発明の一実施の形態にかかる型紙作成装置が行う型紙作成処理における基準寸法リストおよび計測箇所リストを説明する図である。
【図１３】図１３は、本発明の一実施の形態にかかる型紙作成装置が行う型紙作成処理における寸法の計測を説明する図である。
【図１４】図１４は、本発明の一実施の形態にかかる型紙作成装置が行う型紙作成処理における寸法の計測を説明する図である。
【図１５】図１５は、本発明の一実施の形態にかかる型紙作成装置が行う型紙作成処理における顧客ボディ生成処理を示すフローチャートである。
【図１６】図１６は、本発明の一実施の形態にかかる型紙作成装置が型紙作成処理に用いる顧客ボディを模式的に示す図である。
【図１７】図１７は、本発明の一実施の形態にかかる型紙作成装置が行う型紙作成処理における顧客寸法リストを説明する図である。
【図１８】図１８は、本発明の一実施の形態にかかる型紙作成装置が型紙作成処理に用いる顧客ボディをメッシュで表現した図である。
【図１９】図１９は、本発明の一実施の形態にかかる型紙作成装置が行う型紙作成処理における基準ボディおよび顧客ボディの計測箇所の対応付けを説明する図である。
【図２０】図２０は、本発明の一実施の形態にかかる型紙作成装置が行う型紙作成処理における基準ボディの測地線を説明する図である。
【図２１】図２１は、本発明の一実施の形態にかかる型紙作成装置が行う型紙作成処理における顧客ボディの測地線を説明する図である。
【図２２】図２２は、本発明の一実施の形態にかかる型紙作成装置が行う型紙作成処理における顧客型紙データ生成処理を示すフローチャートである。
【図２３】図２３は、本発明の一実施の形態にかかる型紙作成装置が行う型紙作成処理における差分リストを説明する図である。
【図２４】図２４は、本発明の一実施の形態にかかる型紙作成装置が行う型紙作成処理における基準型紙を模式的に示す図である。
【図２５】図２５は、本発明の一実施の形態にかかる型紙作成装置が行う型紙作成処理における顧客型紙データ生成処理の顧客型紙の生成を説明する図である。
【図２６】図２６は、本発明の一実施の形態にかかる型紙作成装置が行う型紙作成処理によって生成された顧客型紙を説明する図である。
【図２７】図２７は、本発明の一実施の形態にかかる型紙作成装置が行う型紙作成処理によって生成された顧客型紙をシミュレーションにより顧客ボディに着せた図である。
【図２８】図２８は、本発明の一実施の形態にかかる型紙作成装置が行う型紙作成処理において用いられる基準型紙をシミュレーションにより基準ボディに着せた図である。
【図２９】図２９は、本発明の一実施の形態にかかる型紙作成装置が行う型紙作成処理において用いられる基準型紙をシミュレーションにより顧客ボディに着せた図である。
【図３０】図３０は、本発明の実施の形態の変形例にかかる型紙作成装置が行う型紙作成処理を示すフローチャートである。
【図３１】図３１は、本発明の実施の形態の変形例にかかる型紙作成装置が行う基準データ作成処理における基準データ生成処理を示すフローチャートである。
【図３２】図３２は、本発明の実施の形態の変形例にかかる型紙作成装置が行う型紙作成処理における顧客型紙データ生成処理を示すフローチャートである。
【発明を実施するための形態】
【００１９】
以下、本発明を実施するための形態を図面と共に詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は各図で例示された形状、大きさ、および位置関係のみに限定されるものではない。
【００２０】
（実施の形態）
図１は、本発明の一実施の形態にかかる型紙作成装置の概略構成を模式的に示すブロック図である。図１に示す型紙作成装置１は、衣料の作製に用いられる複数の型紙の設計情報である型紙データを生成する。型紙作成装置１は、入力部１１と、出力部１２と、画像処理部１３と、記憶部１４と、制御部１５と、を備える。
【００２１】
入力部１１は、型紙作成装置１の各部の動作を指示する指示信号の入力や、画像における画像処理領域（位置）を指示する指示信号の入力の受け付け、および受け付けた指示信号を制御部１５に入力する。入力部１１は、キーボード、マウス、タッチパネル等のインタフェースを用いて実現される。入力部１１は、受け付けた指示信号を制御部１５に入力する。指示信号には、例えば、画像表示にかかる指示信号や、画像処理に関する選択指示、入力指示などの指示信号が挙げられる。
【００２２】
出力部１２は、ＬＥＤなどの光源や、スピーカ、ディスプレイなどを用いて実現される。出力部１２は、画像処理部１３が生成した表示画像信号などを受信して該表示画像信号に対応する画像を表示する表示部１２ａを有する。表示部１２ａは、画像処理部１３から出力される型紙の設計情報にかかる文字情報や色情報などの各種情報を表示する。表示部１２ａは、液晶ディスプレイまたは有機ＥＬ（Electro  Luminescence）ディスプレイを用いて構成される。出力部１２は、制御部１５から出力される表示画像信号や、表示部１２ａに該表示画像信号に応じた画像を表示させるための制御信号に基づき、表示部１２ａに画像を表示させるなどの処理を行う。
【００２３】
画像処理部１３は、二次元画像として表示される型紙の画像や、この複数の型紙の縫合情報などをもとに生成される三次元画像、例えば、ボディや、複数の型紙に基づく仮想製品などの画像を表示させるため表示画像信号（画像情報）の生成処理を行う。画像処理部１３は、画像のほか、型紙データを構成する各型紙の設計に関する文字情報や、色情報などの各種情報を生成する。
【００２４】
記憶部１４は、型紙作成装置１に実行させる各種プログラム、プログラムの実行中に使用される各種データや、本発明の型紙作成方法にかかる型紙作成プログラムなどを記憶する。記憶部１４は、処理中のデータを一時的に記憶する機能を有する。また、記憶部１４は、基準となる体型に対応するボディ（以下、基準ボディという）や、顧客の体型に合わせて変形可能なボディなどのボディに関するデータを記憶するボディデータ記憶部１４ａと、衣服を構成する複数の型紙に関する型紙データを記憶する型紙データ記憶部１４ｂと、顧客のサイズの計測結果から型紙を変更する場合の計測位置間の関係を示すデータを記憶する計測データ記憶部１４ｃとを有する。記憶部１４は、フラッシュメモリおよびＲＡＭ等の半導体メモリを用いて実現される。なお、記憶部１４は、外部から装着されるメモリカード等を用いて構成されてもよい。
【００２５】
制御部１５は、型紙作成装置１の各部の動作を制御するとともに、型紙作成装置１を統括的に制御する。制御部１５は、ＣＰＵ（Central  Processing  Unit）等を用いて構成され、型紙作成装置１に含まれる各部を制御するとともに、外部からの指示信号に応じて指示信号に対応する指示情報やデータの転送等を行って動作を制御する。
【００２６】
ここで、画像処理部１３について説明する。画像処理部１３は、取得部１３１と、計測部１３３と、リスト生成部１３２と、ボディ変形部１３４と、差分算出部１３５と、サイズ変更部１３６と、型紙データ生成部１３７と、着装シミュレーション部１３８とを有する。
【００２７】
取得部１３１は、複数の型紙を含む型紙データや、衣服の着付け対象（装用対象）となる人体モデルであるボディのデータ（ボディデータ）を取得する。ボディデータには、バストライン、ウエストラインおよびヒップラインなどの寸法情報などを含んでいてもよい。
【００２８】
リスト生成部１３２は、入力部１１を介して入力されたデータや、記憶部１４に記憶されているデータをもとに、リストの生成を行う。具体的に、リスト生成部１３２は、基準ボディに対して指示入力された計測箇所をリスト化した計測箇所リストや、計測箇所に対して基準ボディの寸法を対応付けた基準寸法リスト、計測箇所に対応する顧客の寸法をリスト化した顧客寸法リスト、基準ボディと顧客ボディとの差分を算出して得られる差分リストを生成する。
【００２９】
計測部１３３は、リスト生成部１３２が生成したリストに基づいて、登録されている計測箇所の道のりや、距離を計測する。計測部１３３は、ボディ上の点列に基づいて、計測箇所の道のりや距離を計測する。
【００３０】
ボディ変形部１３４は、記憶部１４などを参照して得られる基準顧客ボディデータと、顧客の寸法を実際に計測した計測結果を含む実測データとに基づいて基準顧客ボディを変形することによって、対象の顧客の体型に対応する顧客ボディデータを生成する。
【００３１】
差分算出部１３５は、基準ボディデータと、ボディ変形部１３４により生成された顧客ボディデータとを用いて、登録されている計測箇所の寸法の差分を算出する。差分算出部１３５は、算出した差分をリスト生成部１３２に入力する。
【００３２】
サイズ変更部１３６は、差分算出部１３５が算出した差分に基づいてリスト生成部１３２が生成した差分リストをもとに、基準型紙のサイズを変更して、顧客の体型に応じて計測箇所のサイズを変更した型紙のサイズデータを生成する。
【００３３】
型紙データ生成部１３７は、サイズ変更部１３６が生成したサイズデータ（変更データ）に基づき、該当する型紙に対して該変更データを反映することにより、顧客型紙に関する型紙データを生成する。
【００３４】
着装シミュレーション部１３８は、ボディデータと型紙データとに基づきシミュレーションすることによって、ボディに型紙を着装させる。着装シミュレーション部１３８は、型紙データをもとに演算処理を行って三次元像であるトワル（以下、仮想トワルという）を含む三次元画像データを生成する。具体的には、着装シミュレーション部１３８は、例えば、ボディデータと型紙データとを用いて三次元形状演算を行って、画像上のボディに対し、各型紙を縫合して形成される仮想トワルの着付けを行う。着装シミュレーション部１３８による演算処理には、ＣＡＤ（Computer  Aided  Design）が用いられる。
【００３５】
次に、型紙作成装置１が行う型紙作成処理（型紙作成方法）について、図２〜図２６を参照して説明する。図２は、本実施の形態にかかる型紙作成装置が行う型紙作成処理を示すフローチャートである。以下の型紙作成処理では、制御部１５の制御のもと、記憶部１４に記憶されている型紙作成プログラムを実行することにより、各部が信号処理などを行う。型紙作成処理では、画像処理部１３が、基準となるボディに対する計測箇所と、各計測箇所における基準ボディの寸法とを登録して、基準データとなるリストの生成を行う（ステップＳ１００：基準寸法リスト生成ステップ）。その後、画像処理部１３が、上述した計測箇所リストと、実際に顧客の寸法を計測した実測データとをもとに、顧客の体型に合わせたボディ（以下、顧客ボディという）の寸法を含む顧客寸法リスト（顧客データ）を生成する（ステップＳ２００：対象寸法リスト生成ステップ）。基準ボディに関するデータと、顧客ボディに関するデータとを取得後、画像処理部１３は、顧客に応じた型紙を含む顧客型紙データを生成する（ステップＳ３００：対象型紙データ作成ステップ）。なお、上述したステップＳ１００，Ｓ２００，Ｓ３００は、各々独立して処理を行うことが可能であり、例えば、前回生成された計測箇所リストおよび基準寸法リストに基づいて、ステップＳ２００，Ｓ３００を行うようにしてもよい。
【００３６】
上述した型紙作成処理の各ステップの処理について具体的に説明する。まず、ステップＳ１００における基準データ生成処理について、図３〜図１１を参照して説明する。図３は、本発明の一実施の形態にかかる型紙作成装置が行う型紙作成処理における基準データ生成処理を示すフローチャートである。型紙作成処理の指示があると、取得部１３１が、記憶部１４のボディデータ記憶部１４ａを参照して基準ボディのデータ（基準ボディデータ）を取得するとともに、型紙データ記憶部１４ｂを参照して基準ボディに対応する基準型紙に関する基準型紙データを取得する（ステップＳ１０１）。
【００３７】
図４は、本発明の一実施の形態にかかる型紙作成装置が型紙作成処理に用いる基準ボディを模式的に示す図である。図４の（ａ）は基準ボディの正面図、図４の（ｂ）は基準ボディの側面図、図４の（ｃ）は基準ボディの背面図をそれぞれ示している。図４に示す基準ボディＢSは、顧客に応じて型紙を変更する際の基準として用いられるものであり、型紙データの各型紙と関連付いていれば、サイズは任意に設定可能である。取得部１３１は、ボディデータ記憶部１４ａを参照して、図４に示すような基準ボディＢSを取得する。
【００３８】
図５は、本発明の一実施の形態にかかる型紙作成装置が行う型紙作成処理における基準型紙を模式的に示す図である。型紙データは、衣服を構成する複数の型紙を有し、各型紙の設計情報を少なくとも含んでいる。各型紙の設計情報には、型紙の輪郭線や、輪郭線内に設けられる折り目線（襟などを形成するための折り目線など）、ダーツの形成線、型紙同士を縫い合わせるための縫合線などの設計情報、ならびに型紙の力学的特性および衣服に用いる材料の力学的特性などの情報が含まれている。図５に示す型紙は、衣料の型紙データの一部の型紙を例示するものであり、胴部の型紙を示すものである。取得部１３１は、型紙データ記憶部１４ｂを参照して、図５に示すような衣料の胴部を構成する型紙ＰB１，ＰB２を含む型紙データであって、基準ボディＢSに対応する型紙データを取得する。
【００３９】
基準ボディデータおよび基準型紙データを取得後、計測箇所の登録処理が行われる（ステップＳ１０２：計測箇所登録ステップ）。この計測箇所の登録処理では、制御部１５が、入力部１１を介して入力された情報に基づいて、基準ボディＢS上において指定された位置を計測箇所として登録する。この際、いかり肩、なで肩、猫背など、顧客の細かな体型に対応する計測箇所が登録されることが好ましい。
【００４０】
例えば、使用者は、基準ボディＢS上に示されている案内線を一つまたは複数選択入力することによって、計測箇所を選択して登録する。図６は、本発明の一実施の形態にかかる型紙作成装置が行う型紙作成処理における基準データ生成処理の計測箇所登録を説明する模式図である。基準ボディＢSは、図６に示すように、基準ボディＢSの表面上において設定される三次元座標系で表現され、各々が変形可能な複数のメッシュからなるメッシュ構造を有するフレームデータ（基準ボディデータＢSM）を含んでいる。また、基準ボディデータＢSMにおけるメッシュは、三次元座標において設定されている複数の点同士を結んでなる三角形状をなしている。計測箇所は、例えば、基準ボディＢSに対し、入力部１１を介して入力された指定点のメッシュ番号と、このメッシュ番号のメッシュ内における座標（ＵＶテクスチャ座標）とを登録することにより、計測箇所が登録される。線や領域を計測箇所として登録する場合は、計測箇所を点群として登録してもよいし、計測点を結んでなる線（または曲線）に対して間欠的に計測点を登録してもよい。
【００４１】
図７〜図１１は、本発明の一実施の形態にかかる型紙作成装置が行う型紙作成処理における基準データ生成処理の計測箇所登録を説明する模式図である。例えば、胸囲（バスト）を計測箇所として登録する場合、使用者は、入力部１１を介して、基準ボディＢSの胸囲を示す案内線ＬBTを選択入力することによって、胸囲（バスト）を計測箇所として登録する（図７参照）。また、背肩幅を計測箇所として登録する場合、使用者は、入力部１１を介して、基準ボディＢSの背肩幅を示す案内線ＬBWを選択入力することによって、背肩幅を計測箇所として登録する（図８参照）。また、胴囲（ウェスト）を計測箇所として登録する場合、使用者は、入力部１１を介して、基準ボディＢSの胴囲を示す案内線ＬWTを選択入力することによって、胴囲を計測箇所として登録する（図９参照）。また、背丈を計測箇所として登録する場合、使用者は、入力部１１を介して、基準ボディＢSの背丈を示す案内線ＬBLを選択入力することによって、背丈を計測箇所として登録する（図１０参照）。また、後鎌深を計測箇所として登録する場合、使用者は、入力部１１を介して、基準ボディＢSの後鎌深を示す案内線ＬBNを選択入力することによって、後鎌深を計測箇所として登録する（図１１参照）。
【００４２】
なお、図７〜図１１では、予め案内線や点が表示されているものを例に説明したが、基準ボディ上であれば、どこでも選択可能であり、使用者の所望の箇所、周、領域を指定して登録することが可能である。
【００４３】
計測箇所を登録後、リスト生成部１３２が、ステップＳ１０２において登録された計測箇所に応じた寸法をリスト化したデータ（基準寸法リスト）、および登録された計測箇所をリスト化したデータ（計測箇所リスト）を生成する（ステップＳ１０３：基準寸法リスト生成ステップ）。図１２は、本発明の一実施の形態にかかる型紙作成装置が行う型紙作成処理における基準寸法リストおよび計測箇所リストを説明する図である。図１２に示すように、リスト生成部１３２は、ステップＳ１０２において登録された計測箇所をリスト化するとともに、登録された計測箇所の基準ボディの寸法をリスト化する。
【００４４】
各計測箇所における寸法は、計測部１３３により計測される。計測部１３３は、各計測箇所の座標をメッシュ番号およびＵＶテクスチャ座標により求めて計測を行う。図１３および図１４は、本発明の一実施の形態にかかる型紙作成装置が行う型紙作成処理における寸法の計測を説明する図である。計測部１３３は、基準ボディＢSの道のり、例えば、胸囲の周囲長を計測する場合、図１３に示すように、計測線上の複数の点（点Ｐ11〜Ｐ13）が、メッシュ番号（Ｆ1〜Ｆ6）と、当該メッシュ番号に対応するメッシュ内のＵＶテクスチャ座標とに対応付けられて計測箇所として登録されており、この点間を結ぶ直線または曲線をなす点群の長さを計測することによって、周囲長を計測する。具体的に、点Ｐ11は、メッシュ番号がＦ1、ＵＶテクスチャ座標がｕｖ１であるものとして登録されている。点Ｐ12は、メッシュ番号がＦ5、ＵＶテクスチャ座標がｕｖ２であるものとして登録されている。点Ｐ13は、メッシュ番号がＦ3、ＵＶテクスチャ座標がｕｖ３であるものとして登録されている。計測部１３３は、これらの点や、この点間の点群のなす直線または曲線の長さを計測箇所の寸法として計測する。
【００４５】
また、計測部１３３は、基準ボディＢSの距離（２点間距離）、例えば、背丈の長さを計測する場合、図１４に示すように、計測線上の二つの点（点Ｐ14，Ｐ15）が、メッシュ番号（Ｆ1〜Ｆ6）とＵＶテクスチャ座標とに対応付けられて計測箇所として登録されており、この点同士を結ぶ線分の長さを計測することによって、背丈の長さを計測する。具体的に、点Ｐ14は、メッシュ番号がＦ4、ＵＶテクスチャ座標がｕｖ４であるものとして登録されている。点Ｐ15は、メッシュ番号がＦ6、ＵＶテクスチャ座標がｕｖ５であるものとして登録されている。
【００４６】
リスト生成部１３２は、図１２に示すように、計測箇所と、計測箇所の寸法とが同一の表に記載された一つのリストを生成するものであってもよいし、計測箇所と、各計測箇所の寸法とを別の表としてそれぞれリスト化するものであってもよい。なお、図１２に示すように、各計測箇所について、コメントや計算式などをメモする欄を設けてもよい。リスト生成部１３２によるリストの生成後、制御部１５は、図２のフローチャートに戻る。
【００４７】
続いて、ステップＳ２００における顧客ボディ生成処理について、図１５〜図１８を参照して説明する。図１５は、本発明の一実施の形態にかかる型紙作成装置が行う型紙作成処理における顧客ボディ生成処理を示すフローチャートである。顧客ボディ生成処理では、まず、取得部１３１が、顧客ボディを生成するための基準顧客ボディデータと、上述したステップＳ１０３で生成された計測箇所リストとを取得する（ステップＳ２０１：取得ステップ）。基準顧客ボディデータは、顧客の基準形状に応じた基準顧客ボディを含む。
【００４８】
基準顧客ボディデータおよび計測箇所リストを取得後、取得部１３１は、顧客のサイズを実際に計測した情報（三次元情報）である実測データの取得を行う（ステップＳ２０２）。取得部１３１は、少なくとも計測箇所として登録されている顧客のサイズ情報を実測データとして取得する。
【００４９】
実測データを取得後、ボディ変形部１３４が、実測データに基づいて、基準顧客ボディを変形することによって、対象の顧客の体型に対応する顧客ボディデータを生成する（ステップＳ２０３：対象ボディ生成ステップ）。図１６は、本発明の一実施の形態にかかる型紙作成装置が型紙作成処理に用いる顧客ボディを模式的に示す図である。図１６の（ａ）は顧客ボディの正面図、図１６の（ｂ）は顧客ボディの側面図、図１６の（ｃ）は顧客ボディの背面図をそれぞれ示している。ボディ変形部１３４は、計測箇所情報をもとに、例えば、基準顧客ボディの寸法と顧客の計測結果との差分を算出して変形量を計算し、計算結果に応じて三次元座標上で設定されている点（例えばメッシュの頂点）を移動させることによって基準顧客ボディを変形させるなど、公知の手法を用いることによって、図１６に示すような、顧客の体型に応じた顧客ボディＢCを生成する。
【００５０】
顧客ボディＢCを生成後、リスト生成部１３２は、基準顧客ボディデータと、顧客の計測箇所情報とを取得後、顧客の計測箇所にかかる寸法をリスト化したデータ（顧客寸法リスト）を生成する（ステップＳ２０４）。ステップＳ２０４では、計測部１３３が、上述した基準ボディと同様にして、生成された顧客ボディＢCに対し、少なくともステップＳ１０２において登録された計測箇所を含む寸法を計測し（計測ステップ）、リスト生成部１３２が、計測された寸法と計測箇所とを関連付けてリスト化する。
【００５１】
図１７は、本発明の一実施の形態にかかる型紙作成装置が行う型紙作成処理における顧客寸法リストを説明する図である。図１７に示すように、リスト生成部１３２は、ステップＳ２０３において生成された顧客ボディＢCにおける寸法をリスト化した顧客寸法を生成する。顧客寸法は、少なくとも登録されている計測箇所とその寸法とを関連付けてリスト化する。ボディ変形部１３４による顧客ボディ生成後、制御部１５は、図２のフローチャートに戻る。
【００５２】
ここで、本実施の形態にかかる型紙作成処理において使用可能な基準顧客ボディについて、図１８を参照して説明する。図１８は、本発明の一実施の形態にかかる型紙作成装置が型紙作成処理に用いる顧客ボディをメッシュで表現した図である。顧客ボディＢC（または基準顧客ボディ）は、上述した基準ボディＢSと同様に、複数のメッシュからなるメッシュ構造により構成されるフレームからなる顧客ボディデータＢCMを含んでいる。本実施の形態にかかる顧客ボディデータＢCMは、メッシュを形成する頂点の数が同一であり、対応する頂点同士が互いに関連付いている。顧客ボディデータＢCMは、メッシュの形状が、基準ボディのメッシュの形状と同一形状（三角形）であり、各メッシュの頂点の位置により形状が変化するものとして説明する。
【００５３】
なお、顧客ボディデータＢCMのメッシュは、メッシュを管理するために各メッシュに付与される通し番号が、基準ボディＢSのメッシュに付与される通し番号と互いに対応付けられている。基準ボディＢSのメッシュ構造と、顧客ボディＢCのメッシュ構造とが異なる場合は、登録されているメッシュ番号とＵＶテクスチャ座標とを対応付けて復元することにより、基準ボディＢSの計測箇所と顧客ボディＢCの計測箇所とを対応付けることが可能である。
【００５４】
ここで、計測箇所を登録した際に用いたメッシュ構造に対し、入力されたメッシュ構造（例えば、顧客ボディのメッシュ構造）のメッシュの形状が異なる場合に、入力されたメッシュ構造に対して測地線を復元して計測値を計測する。図１９は、本発明の一実施の形態にかかる型紙作成装置が行う型紙作成処理における基準ボディおよび顧客ボディの計測箇所の対応付けを説明する図である。図２０は、本発明の一実施の形態にかかる型紙作成装置が行う型紙作成処理における基準ボディの測地線を説明する図である。図２１は、本発明の一実施の形態にかかる型紙作成装置が行う型紙作成処理における顧客ボディの測地線を説明する図である。
【００５５】
図１９の（ａ）において、例えば、上段のメッシュ群ＭSを基準ボディに対応するメッシュ、下段のメッシュ群ＭCを顧客ボディに対応するメッシュとしたとき、各ボディのメッシュは、それぞれ対応付いており、例えば、メッシュ群ＭSのメッシュ番号Ｆ1と、メッシュ群ＭCのメッシュ番号Ｆ11とが対応している。このように、メッシュ番号Ｆ2およびメッシュ番号Ｆ12、メッシュ番号Ｆ3およびメッシュ番号Ｆ13、メッシュ番号Ｆ4およびメッシュ番号Ｆ14、メッシュ番号Ｆ5およびメッシュ番号Ｆ15、メッシュ番号Ｆ6およびメッシュ番号Ｆ16がそれぞれ対応している。
【００５６】
計測部１３３は、例えば図１９の（ｂ）に示すメッシュ群ＭIのように、基準ボディ上の計測箇所のメッシュ番号およびＵＶテクスチャ座標に対応する顧客ボディ上の箇所に、上述した登録点である点Ｐ11´〜点Ｐ15´を配置することによって、基準ボディ上で設定された計測箇所、例えば計測点や測地線（点群）を、顧客ボディ上に復元することができる。具体的に、基準ボディＢS上に、測地線ＬBW１、ＬBL１、ＬBT１、ＬWT１が登録されている場合（図２０参照）、顧客ボディＢC上に、測地線ＬBW２、ＬBL２、ＬBT２、ＬWT２が復元される（図２１参照）。
【００５７】
なお、上述したボディデータは、三角形状をなすメッシュから構成されるものとして説明したが、四角形など、他の多角形状をなす複数のメッシュから構成されるものであってもよい。
【００５８】
また、上述した顧客ボディ生成処理は、三次元スキャナなどによって詳細な顧客ボディのスキャンデータが得られた場合は、そのスキャンデータを実測データとして取得し、実測データをもとに顧客ボディを生成するものであってもよい。この場合、上述したメッシュ形状などが異なる場合は、基準ボディのメッシュ形状に合わせる変換処理が施される。
【００５９】
続いて、ステップＳ３００における顧客型紙データ生成処理について、図２２〜図２９を参照して説明する。図２２は、本発明の一実施の形態にかかる型紙作成装置が行う型紙データ作成処理における顧客型紙データ生成処理を示すフローチャートである。顧客型紙データ生成処理では、まず、取得部１３１が、上述したステップＳ１０３において生成された基準寸法リストと、ステップＳ２０４で生成された顧客寸法リストとを取得する（ステップＳ３０１）。
【００６０】
取得部１３１が基準寸法リストおよび顧客寸法リストを取得した後、差分算出部１３５が、各リストの同一計測箇所同士の寸法の差分を算出する（ステップＳ３０２）。その後、差分算出部１３５が算出した差分に基づいて、リスト生成部１３２が、差分リストを生成する（ステップＳ３０３）。
【００６１】
図２３は、本発明の一実施の形態にかかる型紙作成装置が行う型紙作成処理における差分リストを説明する図である。ステップＳ３０３では、図２３に示すように、各計測箇所に対し、基準ボディと顧客ボディとの差分である差寸が対応付けられた差分リストが生成される。
【００６２】
リスト生成部１３２により差分リストが生成されると、サイズ変更部１３６が、差分リストに基づいて、顧客型紙のサイズデータを生成する（ステップＳ３０４）。サイズ変更部１３６は、差分リストに基づいて、基準ボディに対応する基準型紙のサイズの変更データであるサイズデータを生成する。その後、型紙データ生成部１３７が、サイズ変更部１３６が変更した型紙のサイズデータに基づいて、顧客の体型に適した衣料となるような型紙からなる型紙データを生成する。
【００６３】
図２４は、本発明の一実施の形態にかかる型紙作成装置が行う型紙作成処理における基準型紙を模式的に示す図である。図２５は、本発明の一実施の形態にかかる型紙作成装置が行う型紙作成処理における顧客型紙データ生成処理の顧客型紙の生成を説明する図である。型紙データ生成部１３７は、例えば、型紙データ記憶部１４ｂを参照して、図２４に示す型紙ＰB１であって、基準ボディに応じて生成された型紙ＰB１を取得すると、図２５に示すグレーディングルールに基づいて、型紙ＰB１のサイズを変更する。ここで、グレーディングルールとは、差分などをもとに、型紙の各頂点（型紙ＰB１中に丸で示した箇所）をどのように移動させるか、具体的には図２４に示すＸＹ座標上で移動させる条件を定義付けしたものである。図２５に示すグレーディングルールでは、例えば、型紙ＰB１の頂点Ｐ1の場合、後鎌深（ＢＮ）から背丈（ＢＬ）を引いた値だけ、Ｙ方向に移動させることになっている。このように、型紙データ生成部１３７は、取得したサイズデータと、頂点ごとに定義づけられた条件とに基づいて、基準ボディに適した型紙ＰB１を、顧客ボディに適した型紙に変更する。サイズ変更部１３６による顧客型紙データ生成後、制御部１５は、図２のフローチャートに戻る。
【００６４】
以上説明した型紙作成処理によって、基準ボディと顧客ボディとの寸法の差分をもとに、基準ボディに適した型紙を変形させて顧客ボディに適した複数の型紙からなる型紙データが生成される。図２６は、本発明の一実施の形態にかかる型紙作成装置が行う型紙作成処理によって生成された顧客型紙を説明する図である。図２６に示す型紙は、衣料の型紙データを構成する複数の型紙の一部の型紙を例示するものであり、顧客用の胴部の型紙を示すものである。型紙データ生成部１３７により生成された顧客型紙に関する型紙データは、図２６に示すような衣料の胴部を構成する型紙ＰC１，ＰC２を含む。なお、図２６において、型紙ＰC１，ＰC２に示されている一点鎖線Ｑ1，Ｑ2は、基準型紙の輪郭（サイズ変更前の型紙の輪郭）を示している。
【００６５】
顧客型紙を生成した後、生成された顧客型紙の型紙データと、顧客ボディの三次元像とをもとに、顧客型紙に基づき生成される仮想トワルを顧客ボディの三次元像に着装させ、表示部１２ａに表示させるようにしてもよい（着装シミュレーションステップ）。図２７は、本発明の一実施の形態にかかる型紙作成装置が行う型紙作成処理によって生成された顧客型紙を着装シミュレーションにより顧客ボディに着せた図である。図２７では、着装シミュレーション部１３８が、顧客ボディＢCのボディデータと、上述した型紙作成処理によって生成された顧客用の型紙データ（顧客型紙データ）とに基づきシミュレーションすることによって、顧客型紙データからなる仮想トワルＰCを顧客ボディＢCに着装させる。図２７に示すように、顧客に対応した顧客ボディＢCに対して、仮想トワルＰCが歪みや浮きなどなく着装されていることがわかる。
【００６６】
ここで、基準ボディＢSに基準型紙データからなる仮想トワルを着装させた場合、および、顧客ボディＢCに基準型紙データに基づく仮想トワルを着装させた場合について、図２８および図２９を参照して説明する。図２８は、本発明の一実施の形態にかかる型紙作成装置が行う型紙作成処理において用いられる基準型紙をシミュレーションにより基準ボディに着せた図である。図２９は、本発明の一実施の形態にかかる型紙作成装置が行う型紙作成処理において用いられる基準型紙をシミュレーションにより顧客ボディに着せた図である。
【００６７】
基準型紙データに基づく仮想トワルＰBを基準ボディＢSに着装させた場合（図２８参照）に対し、仮想トワルＰBを顧客ボディＢCに着装させた場合（図２９参照）は、顧客ボディＢCと仮想トワルＰBとの間の空間が狭く、窮屈な衣料が作製されてしまう。これに対し、図２７でも示したように、基準ボディと顧客ボディとの差分に基づいて基準型紙のサイズ変更を行うことによって、顧客ボディＢCに適した仮想トワルを作成することができ、その結果、この型紙データを用いることによって、顧客の体型に適した衣料を作製することが可能となる。
【００６８】
上述した実施の形態によれば、基準ボディと顧客ボディとの寸法の差分をもとに、基準ボディに適した型紙を変形させて顧客ボディに適した複数の型紙からなる型紙データを生成するようにしたので、計測箇所として登録した箇所の寸法を取得することによって、顧客の体型に適した型紙を作成することが可能である。
【００６９】
また、上述した実施の形態によれば、基準ボディと顧客ボディとを比較して、その差分をもとに、基準ボディに適した型紙を変形させて顧客ボディに適した型紙を含む型紙データを生成するようにしたので、各ボディにおいて実際に計測された箇所以外の箇所でも比較することが可能であり、顧客の体型に適した型紙を作成するのに好適である。
【００７０】
また、上述した実施の形態によれば、型紙のサイズを入力すれば、型紙データを簡易に修正することが可能であり、修正前後の仮想トワルを比較することもできるため、トワルの確認作業を一段と容易にすることができる。
【００７１】
（実施の形態の変形例）
次に、本発明の実施の形態の変形例について、図３０〜３２を参照して説明する。本変形例にかかる型紙作成装置は、上述した実施の形態にかかる型紙作成装置１と同様の構成を備えている。本変形例では、ボディデータ記憶部１４ａが、互いに体格の異なる複数の基準ボディデータを記憶しているものとして説明する。各基準ボディは、各々が同じメッシュ構造により構成されるフレームからなり、それぞれが、自身のサイズに応じた型紙データと対応付いている。以下、本変形例にかかる型紙作成処理（型紙作成方法）について、図３０〜３２を参照して説明する。
【００７２】
図３０は、本変形例にかかる型紙作成装置が行う型紙作成処理を示すフローチャートである。以下の型紙作成処理では、制御部１５の制御のもと、記憶部１４に記憶されている型紙作成プログラムを実行することにより、各部が信号処理などを行う。型紙作成処理では、画像処理部１３が、基準となるボディに対する計測箇所と、各計測箇所における基準ボディの寸法とを登録して、基準データとなるリストの生成を行う（ステップＳ１１０：基準寸法リスト生成ステップ）。その後、画像処理部１３が、上述した計測箇所リストと、実際に顧客の寸法を計測した実測データとをもとに、顧客の体型に合わせた顧客ボディの寸法を含む顧客寸法リストを生成する（ステップＳ２００：対象寸法リスト生成ステップ）。基準ボディに関するデータと、顧客ボディに関するデータとを取得後、画像処理部１３は、顧客に応じた型紙を含む顧客型紙データを生成する（ステップＳ３１０：対象型紙作成ステップ）。ステップＳ２００の処理は、上述した実施の形態と同様である。本変形例では、ステップＳ１１０（基準寸法リスト生成ステップ）およびステップＳ３１０（対象型紙生成ステップ）について説明する。
【００７３】
図３１は、本変形例にかかる型紙作成装置が行う型紙作成処理における基準データ生成処理を示すフローチャートである。型紙作成処理の指示があると、取得部１３１が、記憶部１４のボディデータ記憶部１４ａを参照して複数の基準ボディデータを取得するとともに、型紙データ記憶部１４ｂを参照して各基準ボディに対応する基準型紙に関する基準型紙データを取得する（ステップＳ１１１）。なお、このステップＳ１１１において、取得部１３１は、基準ボディデータのみを取得してもよい。
【００７４】
各基準ボディデータを取得後、計測箇所の登録処理が行われる（ステップＳ１１２：計測箇所登録ステップ）。この計測箇所の登録処理では、上述したように、制御部１５が、入力部１１を介して入力された情報に基づいて、基準ボディＢS上において指定された位置を計測箇所として登録する。このステップＳ１１２では、入力部１１が受け付けた情報をもとに、各基準ボディデータについて、同じ計測箇所が登録される。
【００７５】
計測箇所を登録後、リスト生成部１３２が、ステップＳ１０２において登録された計測箇所に応じた寸法をリスト化したデータ（基準寸法リスト）、および登録された計測箇所をリスト化したデータ（計測箇所リスト）を生成する（ステップＳ１１３：基準寸法リスト生成ステップ）。リスト生成部１３２は、各基準ボディデータについて、ステップＳ１１２において登録された計測箇所をリスト化するとともに、登録されている計測箇所の基準ボディの寸法をリスト化する。リスト生成部１３２によるリストの生成後、制御部１５は、図３０のフローチャートに戻る。
【００７６】
続いて、ステップＳ３１０における顧客型紙データ生成処理について、図３２を参照して説明する。図３２は、本変形例にかかる型紙作成装置が行う型紙作成処理における顧客型紙データ生成処理を示すフローチャートである。本変形例にかかる顧客型紙データ生成処理では、まず、取得部１３１が、上述したステップＳ１１３において生成された各基準ボディデータの基準寸法リストと、ステップＳ２０４で生成された顧客寸法リストとを取得する（ステップＳ３１１）。
【００７７】
取得部１３１が基準寸法リストおよび顧客寸法リストを取得した後、差分算出部１３５が、各リストの同一計測箇所同士の寸法の差分を算出する（ステップＳ３１２）。
【００７８】
差分算出部１３５による差分算出後、型紙データ生成部１３７が、各差分に基づいて基準ボディデータを選択する（ステップＳ３１３：基準ボディ選択ステップ）。型紙データ生成部１３７は、差分が最も小さい基準顧客ボディデータを選択する。型紙データ生成部１３７は、例えば、基準ボディデータごとに差分の総和を求め、この総和が最も小さい基準ボディデータを選択する。なお、型紙データ生成部１３７は、総和に限らず、例えば差分の平均値や、予め設定されている計測箇所の差分、計測箇所に重みを設定して、重み付けした差分の総和を求めた値などに基づいて基準顧客ボディを選択するようにしてもよい。また、型紙データ生成部１３７は、スキャンデータを用いて、一致度が高い基準顧客ボディを選択してもよい。
【００７９】
その後、リスト生成部１３２は、ステップＳ３１３において選択された基準ボディデータについて、差分算出部１３５が算出した差分に基づいて差分リストを生成する（ステップＳ３１４）。この際、ステップ１１１において基準ボディデータのみが取得されている場合、型紙データ生成部１３７は、ステップＳ３１３において選択された基準ボディデータの基準型紙データを取得する。
【００８０】
リスト生成部１３２により差分リストが生成されると、サイズ変更部１３６が、差分リストに基づいて、顧客型紙のサイズデータを生成する（ステップＳ３１５）。サイズ変更部１３６は、差分リストに基づいて、基準ボディに対応する基準型紙のサイズの変更データであるサイズデータを生成する。その後、型紙データ生成部１３７が、サイズ変更部１３６が変更した型紙のサイズデータに基づいて、顧客の体型に適した衣料となるような型紙からなる型紙データを生成する。
【００８１】
以上説明した型紙作成処理によって、基準ボディと顧客ボディとの寸法の差分をもとに、基準ボディに適した型紙を変形させて顧客ボディに適した複数の型紙からなる型紙データが生成される。
【００８２】
上述した変形例によれば、上述した実施の形態と同様の効果を得ることができるとともに、基準とする基準ボディを複数用意しておき、顧客ボディとの差分をもとに、その差分がより小さくなる基準ボディを選択するようにしたので、実際に型紙データを生成する際の基準型紙に対する変形量を小さくすることができる。変形量が小さくなれば、より高精度に顧客型紙データを生成することができる。
【００８３】
なお、上述した実施の形態では、型紙作成装置１に設けられた記憶部１４がボディデータや型紙データなどを記憶しているものとして説明したが、型紙作成装置１とは別に設けられた記憶媒体を介して情報を取得するものであってもよいし、ネットワークを介して情報を取得するものであってもよい。
【００８４】
また、上述した実施の形態では、基準ボディと顧客ボディとの寸法の差分をもとに、基準ボディに適した型紙を変形させて顧客ボディに適した型紙を生成するものとして説明したが、差分に限らず、例えば寸法比を用いて型紙を生成するようにしてもよい。
【００８５】
また、上述した実施の形態では、三次元形状をなす製品として衣服を作成するために用いられる型紙を例に説明したが、衣服などの衣料服飾品のほか、布団や枕、型紙を用いて形成されるカバー類、車両用のシートなどの製品においても適用することができる。カバーやシートの場合、基準ボディは、カバーを被せる装用対象の内容物の基準形状に基づいて生成される。
【００８６】
以上のように、本発明にかかる型紙作成方法、型紙作成プログラムおよび型紙作成装置は、顧客の体型に適した型紙を作成するのに有用である。
【符号の説明】
【００８７】
１  型紙作成装置
１１  入力部
１２  出力部
１２ａ  表示部
１３  画像処理部
１４  記憶部
１４ａ  ボディデータ記憶部
１４ｂ  型紙データ記憶部
１４ｃ  計測データ記憶部
１５  制御部
１３１  取得部
１３２  リスト生成部
１３３  計測部
１３４  ボディ変形部
１３５  差分算出部
１３６  サイズ変更部
１３７  型紙データ生成部
１３８  着装シミュレーション部
【図１】
2017166114.tif 000003
【図２】
2017166114.tif 000004
【図３】
2017166114.tif 000005
【図４】
2017166114.tif 000006
【図５】
2017166114.tif 000007
【図６】
2017166114.tif 000008
【図７】
2017166114.tif 000009
【図８】
2017166114.tif 000010
【図９】
2017166114.tif 000011
【図１０】
2017166114.tif 000012
【図１１】
2017166114.tif 000013
【図１２】
2017166114.tif 000014
【図１３】
2017166114.tif 000015
【図１４】
2017166114.tif 000016
【図１５】
2017166114.tif 000017
【図１６】
2017166114.tif 000018
【図１７】
2017166114.tif 000019
【図１８】
2017166114.tif 000020
【図１９】
2017166114.tif 000021
【図２０】
2017166114.tif 000022
【図２１】
2017166114.tif 000023
【図２２】
2017166114.tif 000024
【図２３】
2017166114.tif 000025
【図２４】
2017166114.tif 000026
【図２５】
2017166114.tif 000027
【図２６】
2017166114.tif 000028
【図２７】
2017166114.tif 000029
【図２８】
2017166114.tif 000030
【図２９】
2017166114.tif 000031
【図３０】
2017166114.tif 000032
【図３１】
2017166114.tif 000033
【図３２】
2017166114.tif 000034